(57)【要約】【目的】水に対する抵抗が小さく、とくに競泳水着用として好適な体幹安定水着を提供する。【構成】伸縮性を有する生地よりなる水着であって、該水着は複数の弱い伸度のローパワー部と複数の強い伸度のハイパワー部とからなり、ローパワー部とハイパワー部、ハイパワー部同士を接合して構成されており、ローパワー部は前面側の下方に配置され、ハイパワー部は前面側の上方および背面側に配置さていることを特徴とする。【選択図】    図１
2008280656.tif 000002
【特許請求の範囲】
【請求項１】
伸縮性を有する生地よりなる水着であって、該水着は複数の弱い伸度のローパワー部と複数の強い伸度のハイパワー部とからなり、ローパワー部とハイパワー部、ハイパワー部同士を接合して構成されており、ローパワー部は前面側の下方に配置され、ハイパワー部は前面側の上方および背面側に配置されていること、
を特徴とする体幹安定水着。
【請求項２】
請求項１記載の水着に、更に腹部を被覆するローパワー部、胸部を被覆するハイパワー部および腰部から背中部に達するハイパワー部とが形成され、胸部を被覆するハイパワー部と腰部から背中部に達するハイパワー部とを結ぶローパワー部からなる肩紐が形成されてなること、
を特徴とする体幹安定水着。
【請求項３】
前記前面側の下方に配置されたローパワー部と前面側の上方に配置されたハイパワー部との接合部が、膝頭近傍の内側から略逆ハの字状を呈するように側面側に延びていること、
を特徴とする請求項１または２記載の体幹安定水着。
【請求項４】
前記前面側の下方に配置されたローパワー部と前面側の上方に配置されたパイパワー部との接合部に連続して前面側の上方に配置されたハイパワー部の接合が形成されており、該接合部が腰部近傍まで延びていること、
を特徴とする請求項１乃至請求項３のいずれかに記載の体幹安定水着。
【発明の詳細な説明】
【技術分野】
【０００１】
本発明は、水着、詳しくは、姿勢制御の効果により投影面積減少が得られ水中抵抗を少なくすることができる、とくに競泳用として好適な体幹安定水着に関する。
【背景技術】
【０００２】
水着、とくに競泳用水着においては、競泳者の身体の動きに支障がなく、運動機能を最大限に発揮できる水着用素材や縫製方法の研究、開発が進められており、多くの提案がなされている（例えば特許文献１参照）。
【０００３】
競泳用水着においては、生地の選択と配置により機能性が大きく異なり、例えば、弱い伸度、すなわち伸び易い生地からなる本体部の特定部位に、強い伸度、すなわち伸び難い生地を配した水着が種々提案されている。また、競泳用水着においては、例えば１００分の１秒の差が問題となるため、接合方法も重要となる。
【特許文献１】特許第３６８２７１５号公報
【発明の開示】
【発明が解決しようとする課題】
【０００４】
本発明は、とくに競泳用として適した水着を得るために、水着を構成する生地として、弱い伸度をそなえた生地と強い伸度をそなえた生地との組み合わせ、およびこれらの生地を接合する方法と、とくに競泳中の体幹安定機能との関連について試験、検討を重ねた結果としてなされたものであり、その目的は、水に対する抵抗が小さく、とくに競泳水着用として好適な体幹安定水着を提供することにある。
【課題を解決するための手段】
【０００５】
上記の目的を達成するための請求項１による体幹安定水着は、伸縮性を有する生地よりなる水着であって、該水着は複数の弱い伸度のローパワー部と複数の強い伸度のハイパワー部とからなり、ローパワー部とハイパワー部、ハイパワー部同士を接合させて構成されており、ローパワー部は前面側の下方に配置され、ハイパワー部は前面側の上方および背面側に配置されていることを特徴とする。
【０００６】
請求項２による体幹安定水着は、請求項１による水着に、更に、腹部を被覆するローパワー部、胸部を被覆するハイパワー部および腰部から背中部に達するハイパワー部とが形成され、胸部を被覆するハイパワー部と腰部から背中部に達するハイパワー部とを結ぶローパワー部からなる肩紐が形成されてなることを特徴とする女性用である。
【０００７】
請求項３による体幹安定水着は、請求項１または２において、前面側の下方に配置されたローパワー部と前面側の上方に配置されたハイパワー部との接合部が、大腿筋等の筋肉の方向に沿うよう、膝頭近傍の内側から略逆ハの字状に側面側に延びていることを特徴とする請求項１または請求項２記載の体幹安定水着である。
【０００８】
請求項４による体幹安定水着は、請求項１乃至請求項３のいずれかにおいて、前記前面側の下方に配置されたローパワー部と前面側の上方に配置されたハイパワー部との接合部に連続して、前面側の上方に配置されたハイパワー部と背面側に配置されたハイパワー部の接合部が形成されており、大臀筋等の筋肉の方向に沿うよう該接合部が腰部近傍まで延びていることを特徴とする請求項１乃至請求項３のいずれかに記載の体幹安定水着である。
【０００９】
水着、特に競泳用水着においては、流水抵抗を減らすために筋肉を伸度の小さいハイパワー生地より締め付け身体の投影面積を減らすことが望ましい。一方、膝周辺部や腹部等、特に動きが激しい部分を締め付けると運動機能が低下するため、これら部分についてはローパワー生地により運動性を確保し、投影面積の減少と運動機能の確保をバランスさせることが重要である。
本発明は、更に前面側下方に設けられたローパワー部を、背面側のハイパワー部が引っ張り上げる形で、競泳中の姿勢制御の効果を提供し、下半身が下がることなく上がるよう制御されるから（即ち体軸は水面と略並行状態を維持できる）、この点からも競泳者の投影面積が減少し、また浮力感が得られ、脚も蹴り易くなるため、運動機能をより大きく発揮することも可能となる。
即ち本発明により、運動機能を損なうことなく、かつ水中抵抗を小さくする、競泳用時の体幹安定機能（ｃｏｒｅ  ｓｔａｂｉｌｉｚａｔｉｏｎ）を提供することが可能となる。
【発明を実施するための最良の形態】
【００１０】
本発明による体幹安定水着は、伸縮性を有する生地よりなる水着であって、水着の生地は複数の弱い伸度のローパワー部と複数の強い伸度のハイパワー部とからなる。
尚、水着の形状としては、男性用の場合には、腰部近傍から足首部近傍までを被覆するロングスパッツタイプに限らず、腰部近傍から膝上までを被覆するハーフタイプもある。
また女性用の場合も、膝上までを被覆するハーフタイプがあること同様である。
【００１１】
伸縮性を有する生地としては、伸縮性をそなえた生地であればよく、とくに限定されないが、一般的には、ポリエステル系、ナイロン系などの合成繊維とポリウレタン系やポリオレフィン系の弾性繊維などとの交編または交織生地が適用される。
【００１２】
ローパワー部は、ハイパワー部に比べて伸度の弱い部分、すなわち、伸び易く緊締力の小さい部分を言い、ハイパワー部は、より伸度の強い部分、すなわち、伸び難く緊締力の大きい部分である。生地の伸度としては、ＪＩＳ  Ｌ１０８１のＢ法（定荷重法）で０．５ｋｇ荷重時の伸長率が生地として、ローパワー部の場合、縦方向に２０〜６０％、横方向に６０〜１００％の範囲内にあることが、またハイパワー部の場合、縦方向、横方向共に２０〜６０％の範囲にあることが好ましい。
【００１３】
本発明実施の例としての水着１における男性用水着１Ａの形態を示すと、図１〜３にみられるように、腰部近傍８から足首部近傍９までを被覆する水着であって、水着１は、複数の弱い伸度のローパワー部２（２ａ、２ｂ）と複数の強い伸度のハイパワー部３（３ａ、３ｂ、３ｃ、３ｄ、３ｅ）とからなり、ローパワー部２ａ、２ｂとハイパワー部３ａ、３ｂ、ハイパワー部同士、３ａと３ｃ、３ｂと３ｄ、３ｃと３ｄ、３ａ及び３ｂと３ｅ、を接合して構成されている。
尚、該接合手段としては縫着を選択している（以下全ての説明に於いて同様である）。
【００１４】
ローパワー部２ａ、２ｂは前面側５の下方に配置され、ハイパワー部３ａ、３ｂは前面側５の上方に配置され、またハイパワー部３ｃ、３ｄは背面側６に配置される。ハイパワー部３ｅはハイパワー部３ａ、３ｂと接合されて前面側５の股部を被覆する。
【００１５】
本発明実施の例としての水着は、上記の形態において、図１〜３に示すように、前面側５の下方に配置されたローパワー部２ａ、２ｂと前面側５の上方に配置されたハイパワー部３ａ、３ｂとの接合部４（４ａ、４ｂ）が、膝頭近傍１０の内側から略逆ハの字状の態様を呈するように側面側７に延びていることを特徴としている。
該接合部が筋肉の向きを無視して配置されると当該筋肉の動きを妨げることとなるが、前記略逆ハの字状の態様は、大腿筋等の筋肉に沿って接合部を配置することを可能とし、運動機能を損なうことはない。
【００１６】
前面側５の下方に配置されたローパワー部２ａ、２ｂと前面側５の上方に配置されたハイパワー部３ａ、３ｂとの接合部４ａ、４ｂに連続して、前面側５の上方に配置されたハイパワー部３ａ、３ｂと背面側に配置されたハイパワー部３ｃ、３ｄとの接合部４ｃ、４ｄが形成されており、筋肉の動きを妨げぬよう接合部４ｃ、４ｄが大臀筋等の方向に沿うように腰部近傍８まで延びている形態がさらに好ましい。
【００１７】
女性用水着１Ｂは、図４〜６に示すように、前記図１〜３のように形成された男性用水着に、更に、腹部１１を被覆するローパワー部２ｃ、胸部１２を被覆するハイパワー部３ｆおよび腰部から背中部１３に達するハイパワー部３ｇ、３ｈとが延設形成され、また胸部１２を被覆するハイパワー部３ｆと腰部近傍８から背中部１３に達するハイパワー部３ｇ、３ｈとを結ぶローパワー部２ｄからなる肩紐１４が形成されてなる。
【００１８】
女性用水着１Ｂにおいては、胸部１２を被覆するハイパワー部３ｆは１枚の生地で構成することが好ましく、１枚の生地で構成することにより、水の浸入を防止し易くなる（ハイパワーであることによって胸部の投影面積も小さくなる）。肩紐１４については、鎖骨近傍に胸部１２を被覆するハイパワー部３ｆとの接合部を形成することが望ましい。また、背中部１３には背抜き部１５を設けることが望ましい。
【００１９】
本発明に係る水着１（１Ａ、１Ｂ）においては、ハイパワー部およびローパワー部のうちで、それぞれ所定範囲内にある限り伸度を変えた部分を適宜設けてもよい（〔００１２〕参照）。また伸度を調整するため及び／又は運動機能を向上させるために、ハイパワー部およびローパワー部のうちに、適宜斜めに裁断した生地を配置する（生地を斜めに裁断した裁ち目を正布位置とする、即ち所謂バイアスにとること）こともできる。
【００２０】
水着着用者の肌面と生地との間に適切な密着感、フィット性、滑り止め効果を付与し、水に対する抵抗減少、水泳時の推進力の向上を図るために、水着の生地として、ポリウレタン糸などの弾性糸を表面側とし、ポリエステル糸などの非弾性糸を裏面側として編成された編組織からなり、生地の裏面側に弾性糸を露出させ、生地の裏面側の摩擦係数／生地の表面側の摩擦係数を特定した生地を用いる場合には、生地の表面側をプレス加工などの手法により平滑加工することが好ましい。
【００２１】
尚、本発明に於ける接合部は、〔００１５〕及び〔００１６〕にて前述したように、筋肉の動きに沿い運動機能を損なわないような配置が考慮に入れられていることを特記しておきたい。
【実施例】
【００２２】
以下、本発明の実施例を説明するが、これらの実施例は、本発明の一実施態様を示すものであるに過ぎず、本発明はこれらに限定されるものではない。
【００２３】
実施例１
弾性糸としてポリウレタン糸、非弾性糸としてナイロン糸を用い、弾性糸と非弾性糸の太さ、混率などを変えて、ハイパワー部を形成する生地およびローパワー部を形成する生地をそれぞれ交編して、ハイパワー部およびローパワー部を、図１〜３に示すように構成した男性用水着を作製し、接合部４ａ、４ｂ、４ｃ、４ｄを縫着することにより水着として形成した。
尚、本例でのローパワー部の生地としての伸度は、縦方向に４４．５％、横方向に８５．０％であり、またハイパワー部の生地としての伸度は、縦方向に３９．０％、横方向に４７％である。
【００２４】
実施例２
弾性糸としてポリウレタン糸、非弾性糸としてポリエステル糸を用い、弾性糸と非弾性糸の太さ、混率、生地の裏面における弾性糸の露出面積割合、表面側の平滑加工度を調整して、ハイパワー部を形成する生地およびローパワー部を形成する生地をそれぞれ交編して、ハイパワー部およびローパワー部を、図４〜６のように構成した女性用水着を作製し、接合部４ａ、４ｂ、４ｃ、４ｄ、４ｅ、４ｆを縫着することにより形成した。ハイパワー部を構成する生地における、生地の裏面側の摩擦係数／生地の表面側の摩擦係数、の値は、生地の縦方向で１．９５、横方向で２．００であった。
【図面の簡単な説明】
【００２５】
【図１】本発明の水着の実施例を示す正面図である。
【図２】同じく背面図である。
【図３】同じく側面図である。
【図４】本発明の水着の他の実施例を示す正面図である。
【図５】同じく背面図である。
【図６】同じく側面図である。
【符号の説明】
【００２６】
１    本発明の水着
１Ａ  男性用水着
１Ｂ  女性用水着
２    ローパワー部（ローパワー部の総称）
２ａ  ローパワー部
２ｂ  ローパワー部
２ｃ  ローパワー部
２ｄ  ローパワー部
３    ハイパワー部（ハイパワー部の総称）
３ａ  ハイパワー部
３ｂ  ハイパワー部
３ｃ  ハイパワー部
３ｄ  ハイパワー部
３ｅ  ハイパワー部
３ｆ  ハイパワー部
３ｇ  ハイパワー部
３ｈ  ハイパワー部
４    接合部（接合部の総称）
４ａ  接合部
４ｂ  接合部
４ｃ  接合部
４ｄ  接合部
４ｅ  接合部
４ｆ  接合部
５    前面側
６    背面側
７    側面側
８    腰部近傍
９    足首部近傍
１０  膝頭近傍
１１  腹部
１２  胸部
１３  背中部
１４  肩紐
１５  背抜き部
【図１】
2008280656.tif 000003
【図２】
2008280656.tif 000004
【図３】
2008280656.tif 000005
【図４】
2008280656.tif 000006
【図５】
2008280656.tif 000007
【図６】
2008280656.tif 000008